(57)【要約】【課題】従業者の所持するＩＤカードを利用して、そのＩＤカードに該当するユニフォームのみが取り出され得るようにして、かかる従業者のユニフォームが他人に着用されないようにしたユニフォーム着替え自動着替え管理システムを提供する。【解決手段】業務用のユニフォームに着替えるための更衣室１０において、従業者の所持するＩＤカードから従業者コードを読み取り、その着替え要請情報に基づいて、就業管理コンピュータ１８及びスロット管理コンピュータ２０を介して、ユニフォーム収納・搬送装置１２に収容された当該従業者専用のユニフォームを取出し口まで移動せしめて、かかる専用ユニフォームを取り出し得るようにし、所定の業務を遂行する従業者が専用のユニフォームに着替えることが出来るようにした。【選択図】図１
2018018296.tif 000002
【特許請求の範囲】
【請求項１】
業務用のユニフォームに着替えるための着替えゾーンにおいて、所定の業務を遂行する従業者に、専用のユニフォームを自動的に提供し得るようにしたシステムにおいて、
前記着替えゾーンに配置されて、前記従業者の所持するＩＤカードから従業者コードを読み取り、かかる従業者の着替え要請情報として出力するカード読取手段と、
該カード読取手段から入力される着替え要請情報に基づいて、前記従業者の就業の可否を判断する一方、かかる従業者に就業のための専用のユニフォームの取出し情報を出力する第一の管理手段と、
該第一の管理手段から入力される専用ユニフォーム取出し情報に基づいて、前記従業者に専用のユニフォームを収納する収納位置情報を出力する第二の管理手段と、
前記着替えゾーンにおいて着替えを行う全ての従業者の専用のユニフォームがそれぞれ所定の収納位置に収納されて、各収納位置がユニフォームの取出し口まで移動可能とされており、前記第二の管理手段からの収納位置情報に基づいて、目的とする従業者の専用ユニフォームを収納する収納位置を前記取出し口まで移動せしめることにより、かかる専用ユニフォームの搬送を行い、該取出し口から該専用ユニフォームを取り出し得るようにしたユニフォーム収納・搬送装置とを、
備えていることを特徴とするユニフォーム着替え自動管理システム。
【請求項２】
前記従業者のうち特定のものによって所定の作業が行われる特定作業ゾーンを備え、前記第一の管理手段が、前記カード読取手段から入力された情報に基づいて、かかる特定作業ゾーンへの入場の許可された従業者のみが入場し得るように入場許可情報を、該特定作業ゾーンに設けられた出入口装置に出力するように構成されている請求項１に記載のユニフォーム着替え自動管理システム。
【請求項３】
前記ユニフォームに対して、それを着用する従業者固有のユニフォームデータが格納されたＩＣタグが装着されており、かかるＩＣタグ情報を、前記着替えゾーンにおいて従業者の脱衣したユニフォームが投入される回収ボックスにおいて読み取り、ユニフォーム脱衣情報として、前記第一の管理手段に入力せしめるようになっている請求項１又は請求項２に記載のユニフォーム着替え自動管理システム。
【請求項４】
前記従業者の従業者コード情報、かかる従業者に専用のユニフォームを収納すべき前記ユニフォーム収納・搬送装置における収納位置情報、及びそのような専用ユニフォームに付与されるユニフォーム情報を登録するための従業者情報登録装置を更に備え、該従業者情報登録装置における登録情報が、前記第一の管理手段に入力せしめられるようになっている請求項１乃至請求項３の何れか１項に記載のユニフォーム着替え自動管理システム。
【請求項５】
前記従業者の従業者コード情報、かかる従業者に専用のユニフォームを収納すべき前記ユニフォーム収納・搬送装置における収納位置情報、及びそのような専用ユニフォームに装着されたＩＣタグに格納されているユニフォーム情報を登録するための従業者情報登録装置と、前記従業者に専用のユニフォームの洗濯済みのもの又は新品のものに装着されたＩＣタグに格納されているユニフォーム情報を読み取るタグ読取装置と、該従業者情報登録装置からの登録情報及び該タグ読取装置からの読取り情報が入力せしめられて、それらの情報に基づいて、予め設定されている前記ユニフォーム収納・搬送装置におけるユニフォームの収納位置を割り出し、その割り出された収納位置情報を前記第二の管理手段に出力するユニフォーム管理手段とを更に備え、
かかる第二の管理手段からの指令によって所定の投入位置まで移動せしめられたユニフォーム収納位置に対して、前記洗濯済みユニフォーム又は新品のユニフォームが収容せしめられるようになっている請求項１乃至請求項４の何れか１項に記載のユニフォーム着替え自動管理システム。
【請求項６】
前記ＩＤカードを所持する従業者のみの入退場が許容される、外部から区画された閉鎖区域を備え、かかる閉鎖区域内に、前記着替えゾーンが設けられていると共に、該閉鎖区域内にあって、該着替えゾーンとは別個に、特定の従業者のみが出入口装置を通じて入場し得るようにした特定作業ゾーンを設けて、前記第一の管理手段からの情報を該出入口装置に入力せしめ、該特定作業ゾーンへの特定の従業者の入場を許容し得るように構成したことを特徴とする請求項１乃至請求項５の何れか１項に記載のユニフォーム着替え自動管理システム。
【請求項７】
前記ユニフォーム収納・搬送装置が、前記ユニフォームをハンガに懸吊して収納するハンガラック装置を備え、このハンガラック装置におけるハンガ位置が、前記収納位置情報として用いられる請求項１乃至請求項６の何れか１項に記載のユニフォーム着替え自動管理システム。
【発明の詳細な説明】
【技術分野】
【０００１】
本発明は、会社や工場、ホテル、ビル等におけるユニフォーム着替え自動管理システムに係り、特に、会社内や工場の敷地内等に設けられた、業務用のユニフォームに着替えるための着替えゾーンにおいて、所定の業務を遂行する従業者に、専用のユニフォームを自動的に提供して着替えさせ、かかる従業者のユニフォームの着替えの有無の情報によって、その着替えの状態乃至は就業状態を把握し得るようにした自動管理システムに関するものである。
【背景技術】
【０００２】
近年、会社内や工場内等における秘密や安全を確保すべく、外部の人間が自由に出入りするのを阻止して、限られた者のみの出入りを許容し得るようにした各種の入退室管理システムが提案されており、例えば、特開２０１５−２６３０２号公報（特許文献１）や特開２０１５−３６４６９号公報（特許文献２）等においては、ＩＤカードを用いた入退室管理システムが明らかにされ、また特開２００９−９９０５２号公報（特許文献３）等においては、ＩＣタグを用いた入退室管理システムが明らかにされている。そして、そこでは、そのようなＩＤカードやＩＣタグに登録（格納）された情報を、会社や工場等の出入口に設置されたリーダにて読み取ることによって、入場の許容された従業者であるか、どうかの判断をして、それに基づいてロックを解除せしめ、当該従業者の入場が許容され得るようになっている。
【０００３】
また、そのような入退室管理システムによって入場が許容された従業者には、所定の業務を遂行するために、多くの場合において、業務用のユニフォームに着替えることが要請され、そのために、会社内や工場内、ビル内、ホテル内、更には室内等に、着替えゾーン（更衣室）が設けられ、そこにおいて、それぞれの従業者が専用のユニフォームに着替えて、それぞれの作業ゾーンにおいて、所定の業務が遂行されるようになっている。
【０００４】
ところで、かかる着替えゾーンにおける従業者のユニフォームへの着替えは、一般に、着替えゾーン内に配置されたハンガラック等に吊り下げられた多数の業務用のユニフォームの中から、それぞれの従業者に専用のユニフォームを各自に探し出して、着用するようになっている。なお、各ユニフォームには、名前等が印刷された名前シールが貼り付けられているのが一般的であり、このシールを頼りに、目的とする自分専用のユニフォームを探すこととなるのである。また、ハンガラックには、各ユニフォームが部署別、個人別に吊り下げられ、更に名前順やコード順に掛けられていることが一般的であり、これによって目的とするユニフォームを探し易いようになっている。
【０００５】
しかしながら、そのようなハンガラックへのユニフォームの吊下げ状態においては、従業者の自己の専用のユニフォームの探し出しに時間が掛かることは勿論、誤って他人のユニフォームを着用してしまうトラブルが生じ易いことに加えて、他人のユニフォームを着用しようとする悪意を持った人にとっては、容易に他人のユニフォームを取り出して、着衣することが可能となる。そして、その結果、他人への「なりすまし」が容易に実行されてしまい、その他人のユニフォームを着衣した者が、入退場の規制された規制エリアに入場することも、可能となる問題がある。
【０００６】
このように、従来の着替えゾーンにおける従業者のユニフォームへの着替え方式においては、従業者のユニフォームへの着替えに時間が掛かることに加えて、他人のユニフォームが着用されてしまう「なりすまし」行為が発生し易く、これを防ぐための一つの手段として、パスワード入力を併用することが考えられるのであるが、その場合には、従業者個人毎のパスワード入力の煩わしさやパスワード入力に伴う着替えゾーンへの入場時の混雑が、会社や工場等における業務の進行にも影響を与えることとなる。
【先行技術文献】
【特許文献】
【０００７】
【特許文献１】特開２０１５−２６３０２号公報
【特許文献２】特開２０１５−３６４６９号公報
【特許文献３】特開２００９−９９０５２号公報
【発明の概要】
【発明が解決しようとする課題】
【０００８】
ここにおいて、本発明は、かかる事情を背景にして為されたものであって、その解決課題とするところは、従業者の所持するＩＤカードを利用して、そのＩＤカードに該当する従業者に専用のユニフォームのみが確実に取り出され得るようにして、かかる従業者のユニフォームが、他人に着用されないようにしたユニフォーム着替え自動管理システムを提供することにある。
【課題を解決するための手段】
【０００９】
そして、本発明は、上記した課題を解決するために、以下に列挙せる如き各種の態様において、好適に実施され得るものである。なお、以下に記載の各態様は、任意の組合せにおいて採用可能であり、また、本発明の態様乃至は技術的特徴は、以下に記載のものに何等限定されることなく、明細書全体の記載及び図面に開示の発明思想に基づいて、認識され得るものであることが、理解されるべきである。
【００１０】
先ず、本発明の第一の態様は、業務用のユニフォームに着替えるための着替えゾーンにおいて、所定の業務を遂行する従業者に、専用のユニフォームを自動的に提供し得るようにしたシステムにおいて、（ａ）前記着替えゾーンに配置されて、前記従業者の所持するＩＤカードから従業者コードを読み取り、かかる従業者の着替え要請情報として出力するカード読取手段と、（ｂ）該カード読取手段から入力される着替え要請情報に基づいて、前記従業者の就業の可否を判断する一方、かかる従業者に就業のための専用のユニフォームの取出し情報を出力する第一の管理手段と、（ｃ）該第一の管理手段から入力される専用ユニフォーム取出し情報に基づいて、前記従業者に専用のユニフォームを収納する収納位置情報を出力する第二の管理手段と、（ｄ）前記着替えゾーンにおいて着替えを行う全ての従業者の専用のユニフォームがそれぞれ所定の収納位置に収納されて、各収納位置がユニフォームの取出し口まで移動可能とされており、前記第二の管理手段からの収納位置情報に基づいて、目的とする従業者の専用ユニフォームを収納する収納位置を前記取出し口まで移動せしめることにより、かかる専用ユニフォームの搬送を行い、該取出し口から該専用ユニフォームを取り出し得るようにしたユニフォーム収納・搬送装置とを、備えていることを特徴とするユニフォーム着替え自動管理システムにある。
【００１１】
また、本発明の第二の態様は、前記従業者のうち特定のものによって所定の作業が行われる特定作業ゾーンを備え、前記第一の管理手段が、前記カード読取手段から入力された情報に基づいて、かかる特定作業ゾーンへの入場の許可された従業者のみが入場し得るように入場許可情報を、該特定作業ゾーンに設けられた出入口装置に出力するように構成されている。
【００１２】
さらに、本発明の第三の態様は、前記ユニフォームに対して、それを着用する従業者固有のユニフォームデータが格納されたＩＣタグが装着されており、かかるＩＣタグ情報を、前記着替えゾーンにおいて従業者の脱衣したユニフォームが投入される回収ボックスにおいて読み取り、ユニフォーム脱衣情報として、前記第一の管理手段に入力せしめるようになっている。
【００１３】
加えて、本発明の第四の態様は、前記従業者の従業者コード情報、かかる従業者に専用のユニフォームを収納すべき前記ユニフォーム収納・搬送装置における収納位置情報、及びそのような専用ユニフォームに付与されるユニフォーム情報を登録するための従業者情報登録装置を更に備え、該従業者情報登録装置における登録情報が、前記第一の管理手段に入力せしめられるようになっている。
【００１４】
そして、本発明に従う第五の態様は、 (i)前記従業者の従業者コード情報、かかる従業者に専用のユニフォームを収納すべき前記ユニフォーム収納・搬送装置における収納位置情報、及びそのような専用ユニフォームに装着されたＩＣタグに格納されているユニフォーム情報を登録するための従業者情報登録装置と、(ii)前記従業者に専用のユニフォームの洗濯済みのもの又は新品のものに装着されたＩＣタグに格納されているユニフォーム情報を読み取るタグ読取装置と、 (iii)該従業者情報登録装置からの登録情報及び該タグ読取装置からの読取り情報が入力せしめられて、それらの情報に基づいて、予め設定されている前記ユニフォーム収納・搬送装置におけるユニフォームの収納位置を割り出し、その割り出された収納位置情報を前記第二の管理手段に出力するユニフォーム管理手段とを更に備え、かかる第二の管理手段からの指令によって所定の投入位置まで移動せしめられたユニフォーム収納位置に対して、前記洗濯済みユニフォーム又は新品のユニフォームが収容せしめられるようになっている。
【００１５】
加えて、本発明の第六の態様は、前記ＩＤカードを所持する従業者のみの入退場が許容される、外部から区画された閉鎖区域を備え、かかる閉鎖区域内に、前記着替えゾーンが設けられていると共に、該閉鎖区域内にあって、該着替えゾーンとは別個に、特定の従業者のみが出入口装置を通じて入場し得るようにした特定作業ゾーンを設けて、前記第一の管理手段からの情報を該出入口装置に入力せしめ、該特定作業ゾーンへの特定の従業者の入場を許容し得るように構成したことを特徴としている。
【００１６】
また、本発明の第七の態様は、前記ユニフォーム収納・搬送装置が、前記ユニフォームをハンガに懸吊して収納するハンガラック装置を備え、このハンガラック装置におけるハンガ位置が、前記収納位置情報として用いられるようになっている。
【発明の効果】
【００１７】
このように、本発明に従うユニフォーム着替え自動管理システムにあっては、業務用のユニフォームに着替えるための着替えゾーンにおいて、所定の業務を遂行する従業者に専用のユニフォームを提供して、着替えさせるべく、かかる従業者の所持するＩＤカードから、カード読取手段にて従業者コードを読み取り、その着替え要請情報に基づいて、第一の管理手段から、かかる就業者に専用のユニフォームの取出し情報を出力させ、そしてその専用ユニフォーム取出し情報に基づいて、当該従業者に専用のユニフォームを収納する収納位置情報を第二の管理手段から出力せしめることによって、ユニフォーム収納・搬送装置において、そのユニフォーム取出し口に、目的とする従業者の専用ユニフォームを収納する収納位置を自動的に移動せしめて、かかる取出し口から、該専用のユニフォームを取り出し得るようにしたことにより、間違いなく、目的とする専用ユニフォームを、従業者に提供することが出来ることとなり、以て従業者のユニフォーム着替え時間の短縮を効果的に実現せしめ、加えて、従業者が、各自の判断によって、取り出すようにした従来システムにおける他人のユニフォームの誤着用、更には他人への「なりすまし」行為が、完全に排除されると共に、かかる従業者の専用のユニフォームの着衣状態、ひいては就業状態が、第一の管理手段において確実に把握され得ることとなるのである。
【００１８】
しかも、本発明にあっては、特定作業ゾーンにおいて、専用ユニフォームに着替えた従業者の内、特定の者によって、所定の作業を行う際に、カード読取手段から入力された情報に基づいて、かかる特定作業ゾーンへの入場の許可された従業者のみが入場し得るように、入場許可情報を、第一の管理手段が、該特定作業ゾーンに設けられた出入口装置に出力するように構成すれば、かかる特定作業ゾーンへのなりすまし他人の入場を確実に阻止することが出来ることとなる。
【００１９】
さらに、着替えゾーンにおいて、従業者に提供されるユニフォームに、それを着用する従業者固有のユニフォームデータが格納されたＩＣタグを装着しておけば、就業後に従業者が着替えゾーンにおいて脱衣し、その脱衣したユニフォームが投入される回収ボックスにおいて、かかるユニフォームのＩＣタグ情報を読み取り、ユニフォーム脱衣情報として第一の管理手段に入力せしめるようにすれば、当該従業者の就業の有無の確実な把握に加えて、ユニフォームの補給の必要性や特定作業ゾーンでの入場管理の強化等にも効果的に寄与することが出来ることとなる。
【００２０】
加えて、本発明において、ＩＤカードを所持する従業者のみの入退場が許容される、外部から区画された閉鎖区域内に、着替えゾーンや特定作業ゾーンが別個に独立して設けられている場合においては、そのような特定作業ゾーンへの特定の従業者のみの入場を、第一の管理手段にて厳密に管理することも可能となる特徴が発揮され得るのである。
【図面の簡単な説明】
【００２１】
【図１】本発明に従うユニフォーム着替え自動管理システムの一例を示す概要説明図である。
【図２】図１に示されるユニフォーム着替え自動管理システムにおいて採用されるユニフォーム収納・搬送装置の一例を示す説明図であって、（ａ）は、装置内部の形態を示す概念図であり、（ｂ）は、装置前面に設けられたユニフォーム取出し装置を示す正面部分説明図であり、（ｃ）は、装置内部に設けられたハンガラック装置の断面概略説明図である。
【図３】図１に示されるユニフォーム着替え自動管理システムの処理フロー図の一例を示している。
【図４】本発明に従うユニフォーム着替え自動管理システムを組み込んだ入退場管理システムの一例を示す概要説明図である。
【発明を実施するための形態】
【００２２】
以下、本発明に従うユニフォーム着替え自動管理システムを更に具体的に明らかにするために、本発明の代表的な実施の形態について、図面を参照しつつ、詳細に説明することとする。
【００２３】
先ず、図１には、本発明に従うユニフォーム着替え自動管理システムの一例が、概略的に示されている。そこにおいて、１０は、着替えゾーンである更衣室であって、従業者に専用の業務用のユニフォームに着替えさせるべく、かかる更衣室１０内に入室した従業者に対して、専用のユニフォームを提供して着替えさせ、所定の業務に就業し得るようになっている。従って、更衣室１０内には、ユニフォーム収納・搬送装置１２が配置され、その前面には、ユニフォーム取出し装置１４と回収ボックス１６とが設けられており、後述せるように、ユニフォーム取出し装置１４を通じて、ユニフォーム収納・搬送装置１２内に収納された専用のユニフォームが、目的とする従業者に提供され得るようになっている一方、所定の業務を終了した従業者は、その着用したユニフォームを脱衣して、回収ボックス１６に投入した後、更衣室１０から退出するようになっている。
【００２４】
また、第一の管理手段である就業管理コンピュータ１８には、後述せるように、予め所要の従業者登録情報が入力せしめられている一方、ユニフォーム取出し装置１４からの従業者の着替え要請情報や回収ボックス１６からのユニフォーム脱衣情報が、入力せしめられるようになっており、そしてその入力された着替え要請情報に基づいて、従業者登録情報から、目的とする従業者の就業の可否が判断され、当該従業者の就業が許容される場合において、かかる従業者に対して、その就業のための専用のユニフォームの取出し情報が出力されるようになっている。即ち、就業管理コンピュータ１８では、当該従業者の就業日や就業時間であるのか、どうかや、当該従業者が着替えた後の本人の、ＩＣカードを他人が用いた再度の着替え要請情報であるのか、どうか等に基づいて、当該従業者の就業の可否が判断されることとなるのである。そして、その就業が可の場合に就業管理コンピュータ１８から出力される専用ユニフォーム取出し情報は、ユニフォームが懸吊されたハンガを引っ掛けて、係止する長孔状のスロット位置を管理するスロット管理コンピュータ２０（第二の管理手段）に、入力せしめられるようになっている。なお、このスロット管理コンピュータ２０には、ユニフォーム管理手段となるユニフォーム管理コンピュータ２２から、下記表１に示されるような従業者登録情報（従業者コード情報、スロット位置情報、ユニフォーム情報）が予め入力されており、この従業者登録情報から、前記入力される専用ユニフォーム取出し情報に基づいて、目的とする従業者に専用のユニフォームを収納するスロット位置情報が出力されて、ユニフォーム取出し装置１４に入力せしめられるようになっている。また、前記した就業管理コンピュータ１８に入力される従業者登録情報も、下記表１に示される如きものとなる。
【００２５】
【表１】
2018018296.tif 000003
【００２６】
そして、ユニフォーム収納・搬送装置１２においては、かかるスロット管理コンピュータ２０からのスロット位置情報が、ユニフォーム取出し装置１４に入力されて、そのスロット位置情報に基づいて、そこに収納されている着替えを行う全ての従業者の専用のユニフォームの中から、目的とする従業者の専用ユニフォームを懸吊するハンガの係止されている（掛かっている）スロットが、ユニフォーム取出し口まで移動せしめられ、目的とする従業者に専用のユニフォームが、かかるハンガから取り出され得るようにして、提供されるようになっているのである。
【００２７】
さらに、ここでは、更衣室１０において専用のユニフォームに着替えた従業者の内の特定の者によって、所定の作業が行われる、特定作業ゾーンとしての特定作業場２４が、設けられており、そこに配設された出入口装置２６に対して、かかる特定作業場２４への入場の許可された従業者のみが入場し得るように、入場許可情報が、就業管理コンピュータ１８から入力せしめられるようになっている。一方、特定作業場２４から退場する従業者が、出入口装置２６を通過することによって、その退場情報が、就業管理コンピュータ１８に入力せしめられるようになっており、これによって当該従業者の就業状態が把握されることとなる。なお、出入口装置２６への入場許可情報は、ユニフォーム取出し装置１４から入力される情報に基づいて、就業管理コンピュータ１８から、特定作業場２４への入場の許可された従業者のみが入場し得る情報として、出力されるようになっている。
【００２８】
ところで、図２には、上記したユニフォーム収納・搬送装置１２の具体的構成の一例が、概略的に示されている。そこにおいて、ユニフォーム収納・搬送装置１２の前面には、２つのユニフォーム取出し装置１４，１４が設けられている。そして、それらユニフォーム取出し装置１４，１４は、図２（ｂ）から明らかな如く、それぞれ、従業者の所持するＩＤカードから従業者コードを読み取り、かかる従業者の着替え要請情報として出力するカード読取手段としてのＩＤカードリーダ２８と、目的とする従業者の専用ユニフォームを取り出すための長孔形状の取出し口３０とを備えている。
【００２９】
また、ユニフォーム収納・搬送装置１２の内部には、図２（ａ）及び（ｃ）より明らかな如く、ハンガ係止用の多数のスロット（長孔）が上部に配設されて、ガイドレールに沿って移動可能に構成されてなる２基のハンガラック装置３２，３２が配設されており、それらハンガラック装置３２，３２には、更衣室１０において着替えを行う全ての従業者の専用ユニフォーム３４が、それぞれハンガに吊り下げられて、その定められたハンガ位置、換言すればハンガが係止されるスロット位置において懸吊せしめられて、収納されている。そして、それらハンガラック装置３２，３２は、駆動装置３６，３６によってそれぞれ駆動されて、ハンガ位置（スロット位置）が移動せしめられ、ユニフォーム取出し装置１４に設けられた取出し口３０の位置まで、ユニフォーム３４が搬送せしめられ得るようになっている。
【００３０】
すなわち、ハンガラック装置３２，３２の各スロットと、それに係止されるハンガに懸吊されているユニフォーム３４とが関係付けられて、収納されているのであり、そして所定のスロットが取出し口３０の位置まで移動せしめられることによって、目的とするユニフォーム３４が取り出されることとなるのである。具体的には、それぞれのハンガラック装置３２，３２における駆動装置３６，３６は、ＩＤカードリーダ２８，２８によって従業者の所持するＩＤカードから読み取った従業者コードに基づいて、就業管理コンピュータ１８及びスロット管理コンピュータ２０を介してのスロット位置情報に基づいて、目的とする従業者の専用ユニフォーム３４が懸吊されたハンガを取出し口３０まで移動せしめ、かかる取出し口３０から、上記ＩＤカードから読み取られた従業者コードに対応する従業者が、専用のユニフォームを取り出し得るようになっているのである。
【００３１】
なお、ハンガラック装置３２に懸吊される専用ユニフォーム３４には、ここでは、それを着用する従業者固有のユニフォームデータが格納されたＩＣタグ（図示せず）が装着されている。そして、そのようなＩＣタグの情報、具体的には従業者と専用ユニフォームを関連づけるユニフォーム情報を、適当なＩＣタグリーダにて読み取るようにすれば、かかる専用ユニフォーム３４の管理を、更に有効なものにすることが可能となる。例えば、所定の業務を終了した従業者が、更衣室１０において、その着用した専用ユニフォーム３４を脱衣して、回収ボックス１６に投入する際、かかる回収ボックス１６内にＩＣタグリーダを設置しておき、このＩＣタグリーダにて、その投入された脱衣ユニフォーム３４のＩＣタグ情報を読み取り、ユニフォーム脱衣情報として、就業管理コンピュータ１８に入力せしめるようにすれば、それに基づいて、就業管理コンピュータ１８から、特定作業場２４の出入口装置２６に対して、何等かの理由により、仮に当該従業者に専用のユニフォーム３４を着用することの出来た、「なりすまし」の入場を規制するように、指令（当該従業者の入場不可情報）を発することが容易に可能となるのである。
【００３２】
また、ハンガラック装置３２に対するユニフォーム３４の最初のセット時や従業者が新たに加わることによって、また従業者により、専用ユニフォーム３４が、ユニフォーム収納・搬送装置１２から取り出されることによって、ハンガラック装置３２には、ユニフォーム３４を新たにセットしたり、その取り出された従業者の専用ユニフォーム３４を補充したりする必要が生じるが、ここでは、図２に示されるように、ユニフォーム収納・搬送装置１２内には、ユニフォーム・セット／補充者Ｍのみが入室することが出来るようになっており、このユニフォーム・セット／補充者Ｍの操作により、持ち込まれた洗濯済みのユニフォームや新品のユニフォームに装着されているＩＣタグに格納されているユニフォーム情報を、セット／補充用のタグ読取装置３８にて読み取り、それに基づいてハンガラック装置３２を駆動させることにより、ユニフォーム・セット／補充位置まで空きハンガを呼び出し、そしてそれに所定の洗濯済みユニフォーム又は新品のユニフォームを懸吊させることによって、セット／補充するようになっている。
【００３３】
ところで、ユニフォーム管理コンピュータ２２には、図３に示される如く、従業者情報登録装置４０から、従業者の従業者コード情報、当該従業者に専用のユニフォームを収納すべきユニフォーム収納・搬送装置１２におけるスロット位置情報、及びそのような専用ユニフォーム３４に装着されたＩＣタグに格納されているユニフォーム情報が、それぞれ予め入力されて、登録されるようになっている。また、ここでは、従業者情報登録装置４０から、そのような登録情報が、就業管理コンピュータ１８にも入力されるようになっている。一方、タグ読取装置３８にて、従業者に専用のユニフォーム３４の洗濯済みのもの又は新品のものに装着されたＩＣタグに格納されているユニフォーム情報を読み取り、そのユニフォーム情報が、ユニフォーム管理コンピュータ２２に入力せしめられることにより、ユニフォーム管理コンピュータ２２においては、従業者情報登録装置４０からの登録情報及びタグ読取装置３８からの読取情報に基づいて、予め設定されているユニフォーム収納・搬送装置１２におけるスロット位置を割り出し、その割り出されたスロット位置情報をスロット管理コンピュータ２０に出力するようになっている。そして、そのスロット管理コンピュータ２０からの指令によって、駆動装置３６が駆動されて、ユニフォーム・セット／補充者Ｍの作業位置である所定の投入位置まで移動せしめられたスロットに対して、洗濯済みユニフォーム又は新品のユニフォームがハンガに懸吊されて、投入収容せしめられるようになっている。
【００３４】
なお、図３は、上記したユニフォーム着替え自動管理システムにおける、主として情報の流れを示すフロー図であって、更衣室１０内に設置されたＩＤカードリーダ２８にて、従業者のＩＤカードから従業者コードを読み取って、出力される着替え要請情報に基づいて、就業管理コンピュータ１８から、専用ユニフォームの取出し情報が、スロット管理コンピュータ２０に対して出力されることとなる。なお、就業管理コンピュータ１８には、回収ボックス１６からの従業者のユニフォーム脱衣情報が入力され、それに基づいて、特定作業場２４の出入口装置２６に対して、当該従業者の入場不許可情報が出力される。スロット管理コンピュータ２０においては、入力された専用ユニフォーム取出し情報に基づいて、目的とする従業者に専用のユニフォームを懸吊するハンガ位置情報が、ユニフォーム収納・搬送装置１２に出力され、かかるユニフォーム収納・搬送装置１２内のハンガラック装置３２が駆動せしめられて、目的とするハンガ位置に懸吊された専用ユニフォーム３４が、ユニフォーム取出し口１４に搬送位置せしめられることにより、目的とする専用ユニフォーム３４を取り出して、着替えが行われ得るのである。なお、スロット管理コンピュータ２０には、ユニフォーム管理コンピュータ２２から、従業者情報登録装置４０からの登録情報や、前記したセット／補充用のタグ読取装置とは異なる、別途設けられた管理用のタグ読取装置４２からの読取情報に基づいて、新たな従業者に対するスロットの割当情報やユニフォームの補充の必要なスロット位置情報が入力されるようになっている。また、従業者情報登録装置４０において登録される従業者情報は、就業管理コンピュータ１８にも入力されるようになっており、そしてそれに基づいて、就業管理コンピュータ１８において所定の情報処理が行われるようになっている。
【００３５】
従って、上述の如き構成のユニフォーム着替え自動管理システムによれば、更衣室１０内に設置されたＩＤカードリーダ２８にて、従業者の所持するＩＤカードから従業者コードを読み取り、当該従業者の着替え要請情報として出力することにより、就業管理コンピュータ１８及びスロット管理コンピュータ２０を介して、ユニフォーム収納・搬送装置１２におけるハンガラック装置３２を駆動せしめて、目的とする専用ユニフォームを懸吊するハンガを、ユニフォーム収納・搬送装置１２前面の取出し口３０まで移動せしめ、そこから、当該従業者が、その専用ユニフォーム３４を容易に取り出すことが出来ることとなり、これによって、当該従業者が、自己の専用ユニフォーム３４を確実に且つ迅速に着用することが出来ることとなって、従来の如く、間違って他人のユニフォーム３４を着用したりするトラブルも、全く解消され得ることとなったことに加えて、他人によるユニフォーム３４の利用が完全に阻止され得ることとなり、これにより、他人への「なりすまし」の問題も、全く解消され得ることとなったのである。
【００３６】
また、従業者の専用ユニフォーム３４の脱衣情報を、着用後のユニフォーム３４の回収ボックス１６において、ユニフォーム３４に装着されたＩＣタグを読み取り、そのＩＣタグ情報を就業管理コンピュータ１８に入力し、それに基づいて、特定作業場２４の出入口装置２６に対して入場不許可の信号として出力するようにすれば、入場の制限された特定作業場２４に対して、他人のユニフォーム３４を着用して、その他人になりすまして、入場することを、不可能とすることが出来る利点も生じるのである。加えて、ＩＤカードリーダ２８からの着替え要請情報に基づいて、当該従業者の就業状態を認識しておくことにより、再度、ＩＤカードリーダ２８からの着替え要請情報が入力されたときに、就業管理コンピュータ１８が専用ユニフォーム３４の取出し情報の出力を拒否したり、特定作業場２４の出入口装置２６に対して入場不許可の信号を出力するようにすることが出来、これによっても、「なりすまし」の問題の解消に有効に寄与することが出来ることとなる。
【００３７】
なお、このような本発明に従うユニフォーム着替え自動管理システムの特徴は、また、図４に示されるように、工場や会社、ビル等においてＩＤカードを所持する従業者のみの入退場が許容される、外部から区画された制限区域５０内に、前記した更衣室１０や特定作業場２４が、それぞれ独立して設けられている場合において、特に有用である。そこでは、制限区域５０の出入口装置５２を通じて、従業者は、所持するＩＤカードによって入場することとなるが、その入場に際して、出入口装置５２において読み取られたＩＤカードの情報（従業者コード）が、就業管理コンピュータ１８に入力せしめられ、それによって、就業管理コンピュータ１８においては、当該従業者が更衣室１０に入り、ＩＤカードリーダ２８による当該従業者の読取情報を受けて、初めて、ユニフォーム収納・搬送装置１２のハンガラック装置３２の駆動を行わしめ、目的とする専用ユニフォームが取出し口３０から取り出され得るようにすることによって、当該従業者のチェックを二重に行うことが出来、これによって、専用ユニフォーム３４の取り出しに際しての確実性がより一層高められ得て、更なるセキュリティの向上も、有利に実現されることとなる。
【００３８】
また、そのような就業管理コンピュータ１８への出入口装置５２からの従業者情報の入力によって、かかる就業管理コンピュータ１８から、特定作業場２４の如き規制エリアの出入口装置（２６）に対して、当該従業者の入場情報を出力して、かかる出入口装置（２６）における当該従業者の入室の可否を判断するようにすれば、当該従業者の専用ユニフォームを用いた他人の「なりすまし」行為を完全にブロックすることが出来ることとなるのであり、以て、そのような規制エリアの特定作業場（２４）における、限られた従業者のみの出入りのセキュリティを、より一層高めることも可能となるのである。
【００３９】
以上、本発明の代表的な実施形態について詳述してきたが、それは、あくまでも、例示に過ぎないものであって、本発明は、そのような実施形態に係る具体的な記述によって、何等限定的に解釈されるものではないことが、理解されるべきである。
【００４０】
例えば、ＩＤカードは、従業者本人の個人データ（従業者コード等）を格納乃至は搭載することが出来る媒体、一般にカード状の媒体であれば、如何なる公知のものをも採用可能であり、例えば、半導体メモリを内蔵するＩＣカードの他、磁気カードや非接触カード等の公知の記録媒体を用いることが出来る。
【００４１】
また、ＩＣタグとしては、よく知られているように、ＩＣ（Integrated Circuit）等の集積回路を設けたチップを備えて、そこに、着用従業者に固有のユニフォームデータが格納されてなるタグであって、そのようなＩＣタグは、ユニフォーム３４の襟、肩、胸、腕、袖等の適当な部位に取り付けられることによって、装着され、公知のタグリーダによって、かかるＩＣタグに搭載されたユニフォーム３４を着用する従業者のデータを読み取り得るようになっているものである。
【００４２】
そして、そのようなＩＣタグを装着した、或いは装着されていないユニフォーム３４の複数着が、更衣室１０内のユニフォーム収納・搬送装置１２におけるハンガラック装置３２において、用意されるようになっている場合にあっては、同一の従業者が着用するユニフォーム３４であっても、それぞれのユニフォーム３４に装着されたＩＣタグには、相互に異なるユニフォーム情報が付与され、またそのようなユニフォーム３４が懸吊されるハンガには、相互に異なるハンガ位置情報が付与され、それらが、スロット管理コンピュータ２０に入力されて、設定されるようになっており、これによって、従業者のユニフォーム３４毎の着衣や脱衣の状況を、管理することが出来るようになっている。
【００４３】
また、特定作業場２４の出入口装置２６や制限区域５０の出入口装置５２については、詳述を避けるが、それら出入口装置２６，５２における出入りの制御には、公知の構造のものが採用されるところであって、ＩＣタグを読み取るためのタグリーダやＩＣカードを読み取るためのカードリーダを備えていると共に、それらタグリーダやカードリーダにて読み取られた情報に基づいて、出入口ゲートに設けられたロック機構の解除を制御して、従業者の通過の管理を行うようにした公知のものが、適宜に用いられることとなる。
【００４４】
さらに、例示の実施形態においては、専用ユニフォーム３４に取り付けられたＩＣタグの格納情報を読み取るために、セット／補充用や管理用のタグ読取装置３８，４２が設けられているが、これに替えて、そのようなＩＣタグに格納されているユニフォーム情報を、タッチパネル等から入力するようにした公知の入力装置を用いて、入力することも可能である。
【００４５】
更にまた、例示の実施形態においては、従業者情報登録装置４０からの登録情報が、就業管理コンピュータ１８に直接に入力されるようになっているが、これに代えて、ユニフォーム管理コンピュータ２２を介して、間接的に入力されるようにすることも可能であり、更に従業者情報登録装置（４０）を別個に設けて、それぞれの装置（４０）から、就業管理コンピュータ１８やユニフォーム管理コンピュータ２２に個々に所要の情報を登録するようにすることも可能である。
【００４６】
加えて、例示の実施形態においては、就業管理コンピュータ１８とスロット管理コンピュータ２０、更にユニフォーム管理コンピュータ２２を、それぞれ、別体の装置として用いているが、それら３つのコンピュータを１つのコンピュータにて構成したり、或いはそれら３つのコンピュータの内、何れか２つを、１つのコンピュータにて構成することも可能である。また、ユニフォーム管理コンピュータ２２を、他の就業管理コンピュータ１８やスロット管理コンピュータ２０とは別体に配置してなる構成において、それらを異なる場所に配置することも可能であり、その場合において、ユニフォーム管理コンピュータ２２を、例えば図４の制限区域５０外において、ユニフォーム３４が洗濯されるクリーニング部署に設け、そのクリーニング部署において、汚れたユニフォーム３４の洗濯管理を行う一方、その洗濯が終了して、更衣室１０に持ち込まれるユニフォーム３４の情報を、管理用のタグ読取装置４２の読取情報にて、ユニフォーム管理コンピュータ２２に入力して、従業者の専用ユニフォーム３４の着用に際しての初期設定等に利用するようにすることも可能である。
【００４７】
その他、一々列挙はしないが、本発明は、当業者の知識に基づいて、種々なる変更、修正、改良等を加えた態様において実施され得るものであり、そして、そのような実施の態様が、本発明の趣旨を逸脱しない限りにおいて、何れも、本発明の範疇に属するものであることは、言うまでもないところである。
【符号の説明】
【００４８】
１０  更衣室                        １２  ユニフォーム収納・搬送装置
１４  ユニフォーム取出し装置        １６  回収ボックス
１８  就業管理コンピュータ          ２０  スロット管理コンピュータ
２２  ユニフォーム管理コンピュータ  ２４  特定作業場
２６，５２  出入口装置              ２８  ＩＤカードリーダ
３０  取出し口                      ３２  ハンガラック装置
３４  ユニフォーム                  ３６  駆動装置
３８，４２  タグ読取装置            ４０  従業者情報登録装置
５０  制限区域
【図１】
2018018296.tif 000004
【図２】
2018018296.tif 000005
【図３】
2018018296.tif 000006
【図４】
2018018296.tif 000007